(57)【要約】本発明は、オーディオ及びビデオ入力信号を記録する方法に関する。本方法は、受信された入力信号を含む。入力信号はバッファに記憶される。番組変化は、入力信号で検出される。番組のマーカは、番組の変化に対応するバッファに挿入される。
2007521608.tif 000002
【特許請求の範囲】
【請求項１】
オーディオ及びビデオ入力信号を記録する方法であって、
入力信号を受信するステップと、
前記入力信号をバッファに記憶するステップと、
番組の変化を前記入力信号で検出するステップと、
前記番組の変化に対応して番組のマーカをバッファに挿入するステップと、
を含むことを特徴とする方法。
【請求項２】
前記入力信号を圧縮するステップを更に含む、
請求項１記載の方法。
【請求項３】
前記番組のマーカを挿入するステップは、前記番組の変化が予め決定された期間にある場合に実行される、
請求項１記載の方法。
【請求項４】
前記番組の変化は、第一のチャネルから第二のチャネルへの変化である、
請求項１記載の方法。
【請求項５】
前記番組のマーカを挿入するステップは、前記第二のチャネルが予め決定された期間よりも長い期間を有する場合に実行される、
請求項４記載の方法。
【請求項６】
前記番組のマーカを挿入するステップは、前記第二のチャネルの番組が予め決定された期間よりも長い期間を有する場合に実行される、
請求項４記載の方法。
【請求項７】
前記番組の変化は、同じチャネルの第一の番組から第二の番組への変化である、
請求項１記載の方法。
【請求項８】
前記番組のマーカを挿入するステップは、第二の番組が予め決定された期間よりも長い期間を有する場合に実行される、
請求項７記載の方法。
【請求項９】
オーディオ及びビデオ入力信号を記録する装置であって、
入力信号を受信するスイッチと、
前記入力信号をエンコードするオーディオ／ビデオ符号化ユニットと、
エンコードされた入力信号を記憶するバッファと、
番組の変化を前記入力信号で検出し、前記番組の変化に対応して番組のマーカを前記バッファに挿入するコントローラと、
を有することを特徴とする装置。
【請求項１０】
前記コントローラは、前記番組の変化が予め決定された期間にある場合に前記番組のマーカを挿入する、
請求項９記載の装置。
【請求項１１】
前記番組の変化は、第一のチャネルから第二のチャネルへの変化である、
請求項９記載の装置。
【請求項１２】
前記コントローラは、前記第二のチャネルが予め決定された期間よりも長い期間を有する場合に前記番組のマーカを挿入する、
請求項１１記載の装置。
【請求項１３】
前記コントローラは、前記第二のチャネルの番組が予め決定された期間よりも長い期間を有する場合に前記番組のマーカを挿入する、
請求項１１記載の装置。
【請求項１４】
前記番組の変化は、同じチャネルの第一の番組から第二の番組への変化である、
請求項９記載の装置。
【請求項１５】
前記コントローラは、第二の番組が予め決定された期間よりも長い期間を有する場合に前記番組のマーカを挿入する、
請求項１４記載の装置。
【請求項１６】
前記入力信号を供給するために前記スイッチに結合されるチューナを更に含む、
請求項９記載の装置。
【請求項１７】
前記入力信号を供給するために前記スイッチに結合されるコネクタを更に含む、
請求項９記載の装置。
【請求項１８】
前記バッファはハードディスクドライブにおける予め決定されたスペースの量である、
請求項９記載の装置。
【請求項１９】
前記オーディオ及びビデオ符号化ユニットに結合されるＤＶＤレコーダを更に含む、
請求項９記載の装置。
【請求項２０】
前記第一の番組から前記第二の番組への変化を前記コントローラに通知するための電子番組ユニットを更に含む、
請求項１４記載の装置。
【発明の詳細な説明】
【技術分野】
【０００１】
本発明は、パーソナルビデオ記録装置全般に関し、より詳細には、バッファに記憶されている入力信号において番組の境界を記録するパーソナルビデオ記録装置に関する。  
本出願は、２００４年１月８日にシリアル番号０４０７５００２．８で欧州特許庁に提出された仮出願に関する。
【背景技術】
【０００２】
パーソナルビデオ記録装置は、個人のテレビ視聴の経験を拡張するために開発されている。かかる装置の例は、ＴＩＶＯプロダクトである。パーソナルビデオレコーダは、一般に、テレビジョンエンコードシステムと統合されるハードディスクドライブを含む。ハードディスクドライブは、通常、バッファとして機能するための確保される領域を有する。バッファは、ユーザにより現在視聴されている番組を連続的に記憶するために使用される。このバッファリングにより、ユーザは、巻き戻し、早送り又はポーズを含む多数のトリックモードにより視聴されている番組を操作することができる。
【０００３】
しかし、これらパーソナルビデオレコーダのなかには、バッファの容量が固定されているものがある。たとえば、ＴＩＶＯだけが３０分のバッファ容量を有する。したがって、かかる装置が３０分を超えてポーズされる場合、ユーザは、失われた番組の全体の部分を視聴することができない。ユーザがかかる装置を再始動するときから、番組の最後の３０分のみを視聴することができる。
【発明の開示】
【発明が解決しようとする課題】
【０００４】
これらパーソナルビデオレコーダの幾つかによる別の制限は、番組が変化するときにバッファにおける指示がないことである。たとえば、ユーザがあるチャネルで番組を視聴している場合、この番組は、パーソナル記録装置のバッファに連続的に記憶される。ユーザがチャネルを変えるか、新たな番組が同じチャネルで開始する場合、その後に新たな番組はバッファに連続的に記憶される。しかし、この変化が生じるバッファにおける指示がない。したがって、ユーザが戻り、最初の番組を視聴するのを望む場合、ユーザは、最初の番組を発見するために装置を巻き戻す時間を費やす必要がある。
【課題を解決するための手段】
【０００５】
上述した観点において、本発明は、オーディオ及びビデオ入力信号を記録する方法に向けられる。本方法は、受信されている入力信号を含む。入力信号は、バッファに記憶される。番組の変化は、入力信号で検出される。番組のマーカは、番組の変化に対応するバッファに挿入される。
【０００６】
１つの例では、番組の変化は、第一のチャネルから第二のチャネルへの変化である。第二のチャネルが予め決定された期間を超える期間を有する場合、番組のマーカが挿入される。第二のチャネルの番組が予め決定された時間期間を超える期間を有する場合、番組のマーカが挿入される。
【０００７】
別の例では、番組の変化は、同じチャネルの第一の番組から第二の番組への変化である。第二の番組が予め決定された時間期間を超える期間を有する場合、番組のマーカが挿入される。
【０００８】
また、本発明は、オーディオ及びビデオ入力信号を記録するための装置に向けられる。本装置は、入力信号を受信するスイッチを含む。オーディオ及びビデオ符号化ユニットは、入力信号を符号化する。バッファは、符号化された入力信号を記憶する。コントローラは、入力信号における番組の変化を検出し、番組の変化に対応するバッファに番組のマーカを挿入する。  
添付図面を参照し、ここで同じ参照符号は対応する構成要素を全体にわたり表している。
【発明を実施するための最良の形態】
【０００９】
図１には、本発明に係るパーソナルビデオ記録装置の１例が示されている。分かるように、テレビ信号を受信するためにチューナ４が含まれる。チューナ４により、ユーザは、記録されるべきチャネルを選択し、選択された入力信号に対応するオーディオ及びビデオコンポーネントを供給することができる。この例では、チューナ４は、ブロードキャスト又はケーブルシステムのいずれかで使用可能である。しかし、他の例では、チューナはデジタルチューナである場合がある。
【００１０】
コネクタ８は、代替的な入力信号を装置に供給するために含まれる。代替的な入力の例は、ビデオカメラ、ＤＶＤプレーヤ、ＶＣＲ又はセットトップボックス装置のような他のソースからの他のビデオ信号である。また、コネクタ８は、装置からの出力を供給する。かかる出力の例は、記録された番組を表示するためのテレビジョン又はモニタである。チューナ４及びコネクタ８の両者は、オーディオ／ビデオＩＯマトリクススイッチ６に入力される。動作の間、マトリクススイッチ６は、ユーザ入力に基づいてチューナ４又はコネクタのいずれかからの入力信号を選択する。次いで、マトリクススイッチ６は、選択された信号を装置の残りに経路制御する。また、マトリクススイッチ６は、装置からの出力信号をコネクタ８に経路制御する。
【００１１】
アナログ−デジタルコンバータ１０は、入力信号のオーディオコンポーネントをデジタルに変換するために含まれる。また、デジタル−アナログコンバータ１２は、出力信号のオーディオコンポーネントをアナログに変換するために含まれる。また、ビデオ入力プロセッサ２２は、入力信号のビデオコンポーネントを処理するために含まれる。ビデオ入力プロセッサ２２は、ビデオコンポーネントのフォーマットを決定する。たとえば、ビデオコンポーネントは、ＲＧＢ、ＹＵＶ信号等である場合がある。これを知ることは、ビデオコンポーネントを後に圧縮するために必要である。また、ビデオ入力プロセッサ２２は、コピープロテクションステータス、又はビデオコンポーネントがＰＡＬであるかＮＴＳＣ信号であるかといった、ビデオコンポーネントからの情報を抽出する。さらに、ビデオ入力プロセッサ２２は、入力信号のビデオコンポーネントをデジタルに変換する。
【００１２】
この例では、オーディオ及びビデオコンポーネントは、アナログからデジタルに、デジタルからアナログに変換される。しかし、入力信号がデジタルである他の例では、これは必ずしも必要ではない。
【００１３】
わかるように、アナログ−デジタルコンバータ１０、デジタル−アナログコンバータ１２及びビデオ入力プロセッサ２２は、オーディオ／ビデオデコーダ及びエンコーダ２４に接続される。オーディオ／ビデオデコーダ及びエンコーダ２４は、ストレージ装置の１つに記録される前に、入力信号のオーディオ及びビデオコンポーネントを圧縮するために使用される。また、オーディオ／ビデオデコーダ及びエンコーダ２４は、ストレージ装置の１つから受信された出力信号のオーディオ及びビデオコンポーネントを伸張するために使用される。１つの例では、オーディオ／ビデオデコーダ及びエンコーダ２４は、ＭＰＥＧ−２符号化スキームを実現する。しかし、他の例では、ＭＰＥＧ−１、ＭＰＥＧ−４若しくは他の適切な符号化スキームのような他のスキームが使用される場合がある。また、オーディオ／ビデオデコーダ及びエンコーダ２４は、２つのストレージ装置２６，２８を制御するために使用される。
【００１４】
なお、オーディオ／ビデオデコーダ及びエンコーダ２４及びビデオ入力プロセッサ２２は、個別のユニットとして実現される場合がある。代替的に、オーディオ／ビデオデコーダ及びエンコーダ２４、並びにビデオ入力プロセッサ２２は、Chrysalisハードウェアプラットフォームのような単一ユニットとして実現される場合がある。１３９４物理レイヤ（ＰＨＹ）２０は、オーディオ／ビデオデコーダ及びエンコーダ２４に接続される。１３９４ＰＨＹにより、装置は、デジタルビデオ（ＤＶ）データが受信されて装置に記憶される場合もあるように、１３９４ネットワークに接続することができる。
【００１５】
また、装置は、ハードディスクドライブ２６及びＤＶＤレコーダ２８を含む２つのストレージ装置を含む。１つの例では、ＤＶＤレコーダ２８は、ＤＶＤ＋ＲＷレコーダである。しかし、他の例では、ＤＶＤレコーダは、ＤＶＤ＋Ｒ、ＤＶＤ−Ｒ又はＤＶＤ−ＲＷレコーダにより実施される場合がある。
【００１６】
ハードディスクドライブ２６における記憶空間の一部は、ユーザにより選択された入力信号を連続的に記憶するために使用されるバッファとして設定される。このバッファは、ユーザが入力信号の前の部分からポーズ、巻き戻し又は早送りするのを可能にするので、タイムシフトバッファとしてより詳細に記載される。タイムシフトバッファとして設定されるスペースの量は、バッファの容量を決定することにおけるファクタである。符号化スキームは、タイムシフトバッファの容量に影響を及ぼす別のファクタである。たとえば、ハイレベルの圧縮を有する符号化スキームは、バッファの容量を増加させる。タイムシフトバッファのサイズは、ユーザ入力に基づいて設定することができる。タイムシフトバッファのサイズは、１、２、３、６時間のサイズ又は他の適切なサイズに設定される場合がある。ハードディスクドライブ２６におけるスペースの残りは、更なるストレージとして使用される場合がある。たとえば、タイムシフトバッファの内容は、この他のスペースに転送される場合がある。さらに、カメラレコーディング、ダイレクトレコーディング又はＤＶＤディスクからのＤＶＤ画像は、ハードディスク２６のタイムシフトバッファとして確保されていないスペースに記憶される場合もある。
【００１７】
ＤＶＤレコーダ２８は、より永続的なストレージを提供するために使用される場合がある。たとえば、ハードディスクドライブ２６の内容は、ＤＶＤレコーダ２８によりＤＶＤディスクに記録される場合がある。さらに、ユーザにより選択された入力信号は、ＤＶＤレコーダ２８によりＤＶＤディスクに記録される場合がある。
【００１８】
オーディオ／ビデオデコーダ及びエンコーダ２４とＩＯマトリクススイッチ６の間に接続されるのは、電子番組ガイド（ＥＰＧ）ユニット１４である。ＥＰＧユニット１４は、入力信号に含まれるＥＰＧ情報を抽出し、内部キャッシュに記憶する。入力信号がアナログテレビジョン信号である場合、ＥＰＧ情報は、入力信号の垂直帰線消去期間に含まれる。入力信号がデジタル信号である場合、ＥＰＧ情報は、セパレートチャネル又はサイドバンドに含まれる場合がある。たとえば、デジタルビデオブロードキャスト（ＤＶＢ）フォーマットでは、ＥＰＧ情報はイベント情報テーブル（ＥＩＴ）に含まれる。
【００１９】
動作の間、ＥＰＧユニット１４は、抽出された情報を使用して、ＥＰＧ表示用のグラフィックスを生成する。ＥＰＧグラフィックスは、ＥＰＧがディスプレイの表示される場合があるように、ＥＰＧユニット１４により出力信号のビデオコンポーネントに挿入される。更に動作の間、ＥＰＧユニット１４は、ＥＰＧが挿入されないときでさえ、ＩＯマトリクススイッチ６にビデオコンポーネントを経路制御する。さらに、ＥＰＧユニット１４は、コントローラに記録されている番組に関する情報を提供する。この情報は、限定されるものではないが、番組名、ジャンル、開始時間及び番組の期間を含む場合がある。
【００２０】
コントローラ１６は、チューナ４、Ｉ／Ｏマトリクススイッチ６、ＥＰＧユニット１４及びオーディオ／ビデオデコーダ及びエンコーダ２４のような装置内で様々なエレメントを制御するために含まれている。装置のフロントパネル１８は、バス３４によりコントローラ１６に接続される。フロントパネル１８は、ディスプレイ及びキーを含む。ディスプレイは、記録されている現在のチャネルのような装置の関する情報を示す。キーは、チャネルチェンジャーのようなリモート制御にあるキーであるか、ＥＰＧナビゲーションキーである。
【００２１】
動作の間、ユーザ入力は、リモートコントロール又はフロントパネル１８を介してコントローラ１６に送出される場合がある。分かるように、コントローラ１６は、別のバス３０によりＩＯマトリクススイッチ６に接続される。動作の間、コントローラ１６は、ユーザ入力に基づいてどの入力信号を選択すべきかＩＯマトリクスユニット６に伝える。また、コントローラ１６は、別のバス３６によりチューナ４に接続される。また、コントローラ１６は、ユーザ入力に基づいてチューナ４のチャネルを設定する。
【００２２】
また、コントローラ１６は、別のバス３２によりＥＰＧユニット１４に接続される。動作の間、コントローラ１６は、ＥＰＧユニット１４を開始及び停止する。また、コントローラ１６は、ＥＰＧユニットは、ＥＰＧナビゲーションキーを介してユーザにより入力されたナビゲーションコマンドをＥＰＧユニット１４に中継する。これにより、ユーザは、表示されているＥＰＧを上下にスクロールするのを可能にする。ＥＰＧユニット１４は、番組名、ジャンル、開始時間及び記録されている番組の期間のようなＥＰＧ情報をコントローラ１６に供給する。これにより、コントローラ１６は、番組の変化が入力信号で生じたときを検出することができる。
【００２３】
また、コントローラ１６は、オーディオ／ビデオデコーダ及びエンコーダ２４に接続される。コントローラ１６は、入力信号を何時エンコードして、出力信号を何時でコードすべきかをオーディオ／ビデオデコーダ及びエンコーダ２４に伝える。また、コントローラ１６は、ハードディスクドライブ２６に記憶される場合もあるように、オーディオ／ビデオデコーダ及びエンコーダ２４にＥＰＧ情報を供給する。先に記載されたように、この情報は、番組名、ジャンル、開始時間及び記録されている番組の期間を含む。
【００２４】
また、コントローラ１６は、チャネル変化又は番組の変化のような入力信号における何れかの変化をオーディオ／ビデオデコーダ及びエンコーダ２４に伝える。このように、動作の間、オーディオ／ビデオデコーダ及びエンコーダ２４は、次いで、所定の条件に合致した場合にこれらの変化が何処で生じているかを示す番組のマーカをハードディスクドライブ２６のバッファに挿入する。この詳細は、以下に詳細に記載される。
【００２５】
コントローラ１６は、プログラマブルマイクロプロセッサにより実現される場合がある。さらに、バス３０，３２，３４，３６は、Ｉ2Ｃバスのような標準的なバスにより実現される場合がある。
【００２６】
動作の間、ユーザは、リモートコントロール又はフロントパネル１８を通して装置により記録されるべき入力信号を選択する。先に記載されたように、チューナ４からのテレビジョン信号又はコネクタ８からの代替的な信号のいずれかが選択される場合がある。チューナ４が選択された場合、ユーザは、リモートコントロール又はフロントパネル１８を通して記録されるべきチャネルを選択する。次いで、コントローラ１６は、チューナ４のチャネルをユーザにより選択されたチャネルに設定する。また、コントローラ１６は、チューナ４からの入力を取ることをＩＯマトリクススイッチ６に伝える。したがって、選択されたチャネルに対応するオーディオ信号コンポーネント及びビデオ信号コンポーネントは、ＩＯマトリクススイッチ６に入力される。ＩＯマトリクススイッチ６は、次いで、アナログ−デジタルコンバータ１０にオーディオコンポーネントを経路制御し、ビデオ入力プロセッサ２２にビデオコンポーネントを経路制御する。
【００２７】
また、ＥＰＧユニット１４は、選択されたチャネルに関連するＥＰＧ情報を抽出し、この情報をコントローラ１６に提供し始める。先に記載されたように、この情報は、番組名、ジャンル、開始時間及び記録されている番組の期間を含む。アナログ−デジタルコンバータ１０は、オーディオコンポーネントをデジタル信号に変換する。ビデオ入力プロセッサ２２は、デジタルに変換することを含めて、ビデオコンポーネントを処理する。アナログ−デジタルコンバータ１０及びビデオ入力プロセッサ２２からデジタル出力は、オーディオ／ビデオデコーダ及びエンコーダ２４に供給される。オーディオ／ビデオデコーダ及びエンコーダ２４は、コントローラ１６の指示の下でこれらの入力を圧縮し始める。
【００２８】
圧縮された後、オーディオ／ビデオデコーダ及びエンコーダ２４からのオーディオ及びビデオコンポーネントは、ハードディスクドライブ２６に出力され、コントローラ１６からのＥＰＧ情報と共にタイムシフトバッファに記憶される。入力信号は、タイムシフトバッファの容量を超えるまで、先に記載されたように連続的に処理され、タイムシフトバッファに記憶される。バッファの容量を超えたとき、入力信号の最も古い部分は、廃棄され、より最近の部分が記憶される。
【００２９】
さらに、オーディオ／ビデオデコーダ及びエンコーダ２４は、コントローラ１６が番組の変化を検出した場合に番組のマーカをタイムシフトバッファに挿入する。番組の変化は、ユーザが入力信号のチャネルを変えたとき、又は新たな番組が同じチャネルで開始した場合を含む。
【００３０】
たとえば、ユーザがチャネルの変化を要求した場合、コントローラ１６は、チューナ４のチャネルをユーザにより要求されたチャネルに変える。次いで、コントローラ１６は、オーディオ／ビデオデコーダ及びエンコーダ２４に変化が生じたポイントでタイムシフトバッファに番組のマーカを挿入することを伝える。１つの例では、番組のマーカは、チューナ４が新たなチャネルにどのくらい長く滞在するかに関わりなく挿入される。しかし、別の例では、番組のマーカは、チューナ４が予め決定された期間に新たなチャネルに滞在した場合、新たな番組が予め決定された期間よりも長い期間を有する場合にのみ挿入される。この予め決定された期間は、２０秒、３０秒、６０秒又は１２０秒である場合がある。
【００３１】
動作の間、新たな番組が同じチャネルで開始する場合、ＥＰＧユニット１４は、新たな番組に関する情報をコントローラ１６に供給する。これにより、コントローラ１６は、この番組の変化を検出することができる。次いで、コントローラ１６は、オーディオ／ビデオデコーダ及びエンコーダ２４に番組の変化が生じたポイントでタイムシフトバッファに番組のマーカを挿入することを伝える。１つの例では、番組のマーカは、新たな番組がどのくらい長いかに係りなく挿入される。しかし、別の例では、番組のマーカは、新たな番組が予め決定された期間を有する場合にのみ挿入される。この予め決定された期間は、２０，３０，６０又は１２０秒である場合がある。
【００３２】
タイムシフトバッファに入力信号を記憶することにおいて、他の情報が含まれる場合もある。１つの例では、特徴となるポイントの情報（ＣＰＩ）ファイルが、番組マーカ、圧縮されたオーディオ及びビデオコンポーネントと共にタイムシフトバッファに記憶される場合もある。ＣＰＩファイルは、オーディオ情報、ビデオ情報及び番組マーカハードディスクドライブ２６でどのように編成されるかを記述する。これにより、情報をランダムにアクセスすることができ、早送り又は巻き戻しモードを使用することができる。ＣＰＩファイルは、入力信号のどの部分がコピープロテクトされているか、及びどの圧縮モードが使用されているかをも示す。先に記載されたように、タイムシフトバッファに挿入される番組のマーカは、ユーザがチャネルを変えたとき、又は新たな番組が同じチャネルで開始したときのように、番組の変化が生じたことを示す。これらの番組のマーカにより、タイムシフトバッファ内で迅速にナビゲートするのを可能にする。たとえば、ユーザは、タイムシフトバッファに記録される異なる番組を見るため、マーカからマーカにジャンプするのを可能にする。１つの例では、リモートコントロールの１つのボタンは、早送り又は巻き戻し動作を使用する代わりに、マーカからマーカに移動するために使用される。
【００３３】
図２は、本発明に係るタイムシフトバッファに記憶されている番組の１つの例を示している。変わるように、チャネル１の番組Ａは、タイムシフトバッファで記録される第一の番組である。したがって、装置のチューナは、チャネル１にはじめに設定される。ある期間の後、チャネル２への変化があり、番組Ｂは記録され始める。したがって、番組のマーカ２５は、チャネルの変化が生じるポイントでタイムシフトバッファに挿入される。さらに、ある期間の後、番組Ｂは終了し、番組Ｃは記録され始める。このように、番組のマーカ２５は、番組がＢからＣに変わるポイントでタイムシフトバッファに挿入される。ある期間の後、チャネル３への変化があり、番組Ｅは記録され始める。このように、番組のマーカ２５は、チャネルの変化が生じるポイントでタイムシフトバッファに挿入される。
【００３４】
図３は、本発明に係るタイムシフトバッファに記憶される番組の別の例を示している。この例では、番組のマーカは、チューナが予め決定された期間について新たなチャネルに滞在する場合にチャネルにおける変化を示すため、タイムシフトバッファに挿入される。分かるように、チャネル１の番組Ａは、タイムシフトバッファに記録される最初の番組である。このように、装置のチューナはチャネル１に最初に設定される。
【００３５】
ある期間の後、チャネル２への変化あり、番組Ｂが記録され始める。短時間の後、チャネル３への変化があり、番組Ｃが記録され始める。したがって、チューナ４が予め決定された期間についてチャネル２に滞在しないので、チャネル１からチャネル２への変化を記録する番組のマーカが記録されない。別の短時間の後、チャネル４への変化があり、番組Ｄが記録され始める。このように、チューナが予め決定された期間についてチャネル３に滞在しないので、チャネル２からチャネル３への変化を記録する番組のマーカがタイムシフトバッファに挿入されない。しかし、チューナが予め決定された期間についてチャネル４に滞在するので、チャネル３からチャネル４への変化を記録する番組のマーカ２５は、タイムシフトバッファに挿入される。
【００３６】
図４は、本発明に係るタイムシフトレジスタに記憶される番組の別の例を示している。この例では、新たな番組が予め決定された期間を有する場合、番組の変化のために番組のマーカがタイムシフトバッファに挿入される。したがって、新たな番組が予め決定された期間よりも短い期間を有する場合、番組のマーカが挿入されない。新たな番組は、チャネルの変化が生じたときに短い期間を有する場合があり、新たなチャネルの番組が終わりに近くなる。
【００３７】
分かるように、チャネル３からチャネル４への変化があり、番組Ｄは記録され始める。しかし、短時間の後、番組はＥに変化し、番組Ｅは記録され始める。この例では、チューナは、予め決定された期間についてチャネル４に滞在する。しかし、番組Ｄは短い期間を有し、番組Ｄは予め決定された期間よりも短い期間を有するので、チャネル３からチャネル４への変化を記録する番組のマーカはタイムシフトバッファに挿入されない。しかし、この例では、番組Ｅが予め決定された期間よりも長い期間を有するので、番組ＤからＥへの番組変化を記録する番組のマーカがタイムシフトバッファに挿入される。
【００３８】
図５は、本発明に係るタイムシフトバッファに記憶される番組の別の例を示している。わかるように、この例は、番組Ｄの終わりから更に遠くでチャネル３からチャネル４への変化があることを除いて図４と同様である。このように、番組Ｄの期間は、予め決定された期間よりも長い。したがって、チャネル３からチャネル４への変化を記録する番組のマーカがタイムシフトレジスタに挿入される。
【００３９】
図３から図５を記述することにおいて、チューナが予め決定された期間について新たなチャネルで滞在する場合、及び／又は新たな番組が予め決定された期間を有する場合、番組の変化を記録する番組のマーカがタイムシフトバッファに挿入される。本発明によれば、番組のマーカがタイムシフトバッファに挿入されるタイミングは、変化する場合がある。１つの例では、チャネル又は番組における変化のときに、番組のマーカが挿入され、予め決定された期間の後に、予め決定された期間が合致しない場合に番組のマーカが除かれる。別の例では、番組のマーカはチャネル又は番組における変化のときに挿入されず、予め決定された期間が合致したときに、番組のマーカはそれが生じたときにタイムシフトバッファに挿入される。
【００４０】
本発明は特定の例の観点で上述されたが、本発明は本明細書で開示された例に限定又は制限されることが意図されない。したがって、本発明は、特許請求の範囲に含まれるその各種構造及び変更をカバーすることが意図される。
【図面の簡単な説明】
【００４１】
【図１】本発明に係るパーソナルビデオ記録装置の１例を示す図である。
【図２】本発明に係るバッファに番組を記憶する１例を示す図である。
【図３】本発明に係るバッファに番組を記憶する別の例を例示する図である。
【図４】本発明に係るバッファに番組を記憶する別の例を例示する図である。
【図５】本発明に係るバッファに番組を記憶する別の例を例示する図である。
【図１】
2007521608.tif 000003
【図２】
2007521608.tif 000004
【図３】
2007521608.tif 000005
【図４】
2007521608.tif 000006
【図５】
2007521608.tif 000007
【国際調査報告】
2007521608.tif 000008
2007521608.tif 000009
2007521608.tif 000010